(57)【要約】【課題】配線ルートを簡素化可能にした調光ユニットを提供する。【解決手段】調光層２１は、調光領域Ｓｉで第１透明電極層２３Ａと第２透明電極層２３Ｂとに挟まれ、第１透明電極層２３Ａは、第１被接続領域ＳＡで第２空間Ｓ２に露出して第１接続部３０Ａに接続され、第２電極シート２２Ｂは、第２透明電極層２３Ｂを支持する第２支持層２４Ｂと、第２支持層２４Ｂに対する第１空間Ｓ１側で第２透明電極層２３Ｂと電気的に接続された導電層を含む折返し部を備え、導電層は、第２支持層２４Ｂに対する第１空間Ｓ１側から第２支持層２４Ｂに対する第２空間Ｓ２側に折り返されて、第２被接続領域ＳＢで第２空間Ｓ２に露出して第２接続部３０Ｂに接続されている。【選択図】図２
2019200303.tif 000002
【特許請求の範囲】
【請求項１】
空間を、第１空間と第２空間とに区切る調光シートであって、前記第１空間に近い順に、第１透明電極層を有した第１電極シートと、液晶組成物を含む調光層と、第２透明電極層を有した第２電極シートとを備え、前記第１透明電極層と前記第２透明電極層との間に前記調光層が位置する前記調光シートと、
前記第２空間に位置して前記第１透明電極層と配線とを接続するための第１接続部と、
前記第２空間に位置して前記第２透明電極層と配線とを接続するための第２接続部と、
を備える調光ユニット。
【請求項２】
前記調光シートは、前記第２空間から見て、第１被接続領域、調光領域、および、第２被接続領域が区分され、
前記第１透明電極層は、前記第１被接続領域で前記第２空間に露出して前記第１接続部に接続され、
前記第２電極シートは、第２支持層と、前記第２支持層に対する前記第１空間側に位置する前記第２透明電極層と、前記第２支持層に対する前記第１空間側で前記第２透明電極層と電気的に接続された導電層を含む折返し部と、を備え、
前記導電層は、前記第２支持層に対する前記第１空間側から前記第２支持層に対する前記第２空間側まで折り返されて、前記第２被接続領域で前記第２空間に露出して前記第２接続部に接続されている
請求項１に記載の調光ユニット。
【請求項３】
前記導電層は、前記第２透明電極層と別体の導電テープを含み、前記第２支持層の端面を覆って、前記第２支持層に対する前記第１空間側から前記第２支持層に対する前記第２空間側に折り返されている
請求項２に記載の調光ユニット。
【請求項４】
前記折返し部は、前記第２支持層の端面と前記導電テープとの間を埋めて、前記第２支持層の端面よりも前記導電テープでの曲率を小さくする端面封止部を備える
請求項３に記載の調光ユニット。
【請求項５】
前記折返し部は、前記第２電極シートの先端部分であって、前記第２支持層と一体の延設支持層と、前記第２透明電極層と一体の延設電極層とを備え、
前記導電層は、前記延設電極層である
請求項２に記載の調光ユニット。
【請求項６】
前記延設支持層は、二重に折り返されて絶縁性接着層によって貼り合わされている
請求項５に記載の調光ユニット。
【発明の詳細な説明】
【技術分野】
【０００１】
本発明は、調光シートと、調光シートを駆動回路に接続するための接続部とを備える調光ユニットに関する。
【背景技術】
【０００２】
調光シートは、液晶組成物を含む調光層と、調光層を挟む一対の透明電極層とを備える。一対の透明電極層に印加される駆動電圧は、液晶分子の配向を変えて、調光シートの光透過率を変える（例えば、特許文献１参照）。調光ユニットは、調光シートと、透明電極層を駆動回路に接続するための接続部とを備える。調光シートは、空間を、第１空間と第２空間とに区切る。
【０００３】
例えば、図１９が示すように、調光ユニット１００は、窓ガラスなどの透明板２００に取り付けられる。調光シート１１０は、空間を、第１空間Ｓ１（図２０参照）と第２空間Ｓ２（図２０参照）とに区切る。第１空間Ｓ１は、透明板２００が位置する空間であって、調光シート１１０に対する紙面奥側の空間である。第２空間Ｓ２は、第１接続部１６０Ａ、および、第２接続部１６０Ｂが位置する空間であって、調光シート１１０に対する紙面手前側の空間である。調光シート１１０は、第１電極シート１３０Ａと、第２電極シート１３０Ｂとを備える。第１接続部１６０Ａは、第１電極シート１３０Ａに接続される。第２接続部１６０Ｂは、第２電極シート１３０Ｂに接続される。
【０００４】
図２０、および、図２１は、調光ユニット１００の断面構造を示す。なお、図２０、および、図２１では、各空間Ｓ１，Ｓ２に位置する部材を説明する便宜上から、第１空間Ｓ１に位置する透明板２００、および、第２空間Ｓ２に位置する接続部について、ハッチングを割愛して示す。
【０００５】
図２０が示すように、第１電極シート１３０Ａは、第１透明電極層１４０Ａと、第１透明電極層１４０Ａを支持する第１支持層１５０Ａとを備える。第１透明電極層１４０Ａは、調光層１２０の第１面と対向する。第１支持層１５０Ａは、接着層２１０を介して透明板２００に貼り付けられている。第１透明電極層１４０Ａは、第２空間Ｓ２に向けて露出した被接続領域１４０ＳＡを備える。第１接続部１６０Ａは、第２空間Ｓ２に位置して、被接続領域１４０ＳＡに接続されている。
【０００６】
図２１が示すように、第２電極シート１３０Ｂは、第２透明電極層１４０Ｂと、第２透明電極層１４０Ｂを支持する第２支持層１５０Ｂとを備える。第２透明電極層１４０Ｂは、調光層１２０の第２面と対向する。第２透明電極層１４０Ｂは、第１空間Ｓ１に向けて露出した被接続領域１４０ＳＢを備える。第２接続部１６０Ｂは、第１空間Ｓ１に位置して、被接続領域１４０ＳＢに接続されている。
【０００７】
第１接続部１６０Ａは、第１透明電極層１４０Ａに接着された導電性接着層１６１と、導電性接着層１６１に接着された導電テープ１６２とを備える。第２接続部１６０Ｂもまた、第２透明電極層１４０Ｂに接着された導電性接着層１６１と、導電性接着層１６１に接着された導電テープ１６２とを備える。導電性接着層１６１は、例えば、銀ペーストなどの導電ペーストから形成される。導電テープ１６２は、例えば、銅テープである。各接続部１６０Ａ，１６０Ｂは、はんだ部１６３と、はんだ部１６３によって導電テープ１６２に接続されたリード線１６４とを備える。リード線１６４は、駆動回路に接続される。
【先行技術文献】
【特許文献】
【０００８】
【特許文献１】特開２００６−１６２８２３号公報
【発明の概要】
【発明が解決しようとする課題】
【０００９】
一方で、上述した各接続部１６０Ａ，１６０Ｂは、別々の空間Ｓ１，Ｓ２に位置して、別々のリード線に接続されている。そして、単一の調光シート１１０に接続された各リード線は、調光シート１１０で区分けされた各空間Ｓ１，Ｓ２から別々に引き出されている。結果として、上述した調光ユニット１００は、調光ユニット１００における配線ルートの複雑化を招いている。
本発明は、配線ルートを簡素化可能にした調光ユニットを提供することを目的とする。
【課題を解決するための手段】
【００１０】
上記課題を解決するための調光ユニットは、空間を、第１空間と第２空間とに区切る調光シートであって、前記第１空間に近い順に、第１透明電極層を有した第１電極シートと、液晶組成物を含む調光層と、第２透明電極層を有した第２電極シートとを備え、前記第１透明電極層と前記第２透明電極層との間に前記調光層が位置する前記調光シートと、前記第２空間に位置して前記第１透明電極層と配線とを接続するための第１接続部と、前記第２空間に位置して前記第２透明電極層と配線とを接続するための第２接続部と、を備える。
【００１１】
上記構成によれば、第２空間に位置する第１接続部を通じて第１透明電極層と配線とが接続される。そして、第２空間に位置する第２接続部を通じて第２透明電極層と配線とが接続される。結果として、単一の調光シートに接続された各配線は、単一の第２空間から引き出される。そのため、上述した調光ユニットによれば、調光ユニットにおける配線ルートが簡素化可能である。
【００１２】
上記調光ユニットにおいて、前記調光シートは、前記第２空間から見て、第１被接続領域、調光領域、および、第２被接続領域が区分される。前記第１透明電極層は、前記第１被接続領域で前記第２空間に露出して前記第１接続部に接続される。前記第２電極シートは、第２支持層と、前記第２支持層に対する前記第１空間側に位置する前記第２透明電極層と、前記第２支持層に対する前記第１空間側で前記第２透明電極層と電気的に接続された導電層を含む折返し部と、を備える。そして、前記導電層は、前記第２支持層に対する前記第１空間側から前記第２支持層に対する前記第２空間側まで折り返されて、前記第２被接続領域で前記第２空間に露出して前記第２接続部に接続されてもよい。
【００１３】
上記構成によれば、第１透明電極層の一部は、第１被接続領域で第２空間に露出して、第１接続部を通じて配線に接続される。第２透明電極層と電気的に接続された導電層は、第２被接続領域で第２空間に露出して、第２接続部を通じて配線に接続される。結果として、単一の調光シートに接続された各配線は、単一の第２空間から引き出される。そのため、上述した調光ユニットによれば、調光ユニットにおける配線ルートが簡素化可能である。
【００１４】
上記調光ユニットにおいて、前記導電層は、前記第２透明電極層と別体の導電テープを含み、前記第２支持層の端面を覆って、前記第２支持層に対する前記第１空間側から前記第２支持層に対する前記第２空間側に折り返されてもよい。この構成によれば、第２透明電極層とは別体である導電テープが折返し部の導電層として機能するため、折返しに特化した形状や材料を導電層に採用することが可能ともなる。
【００１５】
上記調光ユニットにおいて、前記折返し部は、前記第２支持層の端面と前記導電テープとの間を埋めて、前記第２支持層の端面よりも前記導電テープでの曲率を小さくする端面封止部を備えてもよい。導電テープにおける過度な屈曲が抑制可能であるから、折返し部における電気的特性の安定性が向上可能でもある。
【００１６】
上記調光ユニットにおいて、前記折返し部は、前記第２電極シートの先端部分であって、前記第２支持層と一体の延設支持層と、前記第２透明電極層と一体の延設電極層とを備え、前記導電層は、前記延設電極層であってもよい。この構成によれば、第２電極シートの先端部分の折り返しによって折返し部が構成されるため、調光ユニットにおける部材の点数の増加が抑制可能ともなる。
【００１７】
上記調光ユニットにおいて、前記延設支持層は、二重に折り返されて絶縁性接着層によって貼り合わされてもよい。この構成によれば、二重に折り返された延設支持層が絶縁性接着層で貼り合わされるため、延設支持層が折り返し前の形状に戻ることが抑えられて、折り返し部の形状安定性が向上可能ともなる。
【発明の効果】
【００１８】
本発明によれば、調光ユニットにおける配線ルートが簡素化可能である。
【図面の簡単な説明】
【００１９】
【図１】調光ユニットの第１実施形態における構成を示す平面図。
【図２】図１のＩＩ−ＩＩ線に沿った断面図。
【図３】調光ユニットの第１実施形態における製造工程を示す工程図。
【図４】調光ユニットの第１実施形態における製造工程を示す工程図。
【図５】調光ユニットの第１実施形態における製造工程を示す工程図。
【図６】調光ユニットの第１実施形態における製造工程を示す工程図。
【図７】調光ユニットの第１実施形態における製造工程を示す工程図。
【図８】調光ユニットの第１実施形態における製造工程を示す工程図。
【図９】調光ユニットの従来例を示す側断面図。
【図１０】調光ユニットの変更例を示す平面図。
【図１１】調光ユニットの第２実施形態における構成を示す平面図。
【図１２】図１１のＸＩＩ−ＸＩＩ線に沿った断面図。
【図１３】調光ユニットの第２実施形態における製造工程を示す工程図。
【図１４】調光ユニットの第２実施形態における製造工程を示す工程図。
【図１５】調光ユニットの第２実施形態における製造工程を示す工程図。
【図１６】調光ユニットの第２実施形態における製造工程を示す工程図。
【図１７】調光ユニットの第２実施形態における製造工程を示す工程図。
【図１８】調光ユニットの変更例を示す平面図。
【図１９】調光ユニットの従来例を示す平面図。
【図２０】調光ユニットの従来例を示す側断面図。
【図２１】調光ユニットの従来例を示す側断面図。
【発明を実施するための形態】
【００２０】
（第１実施形態）
図１〜図１０を参照して、調光ユニットの第１実施形態を説明する。
［調光ユニットの構成］
図１が示すように、調光ユニット１０は、調光シート２０と、第１接続部３０Ａと、第２接続部３０Ｂとを備える。調光ユニット１０は、透明板２００に取り付けられる。調光シート２０は、空間を、第１空間Ｓ１（図２参照）と第２空間Ｓ２（図２参照）とに区切る。第１空間Ｓ１は、調光シート２０よりも紙面奥側の空間であって、透明板２００が位置する。第２空間Ｓ２は、調光シート２０よりも紙面手前側の空間であって、各接続部３０Ａ，３０Ｂが位置する。
【００２１】
透明板２００は、透明部材の一例である。透明板２００は、例えば、窓ガラス、パーテーション、および、ガラス壁などの建材である。また、透明板２００は、例えば、自動車の窓ガラス、前照灯のケース、車幅灯のケース、および、尾灯のケースなどの車両用部材である。透明板２００の形状は、平面板状であってもよいし、曲面板状であってもよい。
【００２２】
調光シート２０は、第２空間Ｓ２から見て、矩形平面状を有する。調光シート２０には、第２空間Ｓ２から見て、調光領域Ｓｉ、第１被接続領域ＳＡ、および、第２被接続領域ＳＢが区分されている。
【００２３】
第１接続部３０Ａは、第１被接続領域ＳＡに接続されている。第２接続部３０Ｂは、第２被接続領域ＳＢに接続されている。各被接続領域ＳＡ，ＳＢの位置は、透明板２００の形状や、駆動回路の位置などに応じて適宜設定される。
【００２４】
各被接続領域ＳＡ，ＳＢは、例えば、調光シート２０における別々の角部に位置する。各被接続領域ＳＡ，ＳＢは、例えば、調光シート２０の下辺に沿った矩形領域であり、調光シート２０の下辺に沿って並ぶ。調光領域Ｓｉは、第１被接続領域ＳＡと第２被接続領域ＳＢとの間に被接続間領域Ｓｅを備える。
【００２５】
図２は、図１におけるII-II線に沿った断面図である。
図２が示すように、調光シート２０は、調光層２１と、第１電極シート２２Ａと、第２電極シート２２Ｂとを備える。第１電極シート２２Ａは、第１透明電極層２３Ａと、第１透明電極層２３Ａを支持する第１支持層２４Ａとを備える。第１支持層２４Ａにおいて第１透明電極層２３Ａと接する面とは反対側の面は、接着層５０を介して透明板２００に貼り付けられている。第２電極シート２２Ｂは、第２透明電極層２３Ｂと、第２透明電極層２３Ｂを支持する第２支持層２４Ｂとを備える。
【００２６】
調光シート２０の裏面は、透明板２００に貼り付けられる面として機能する。調光シート２０の裏面は、第１空間Ｓ１に露出する面であって、第１空間Ｓ１に位置する透明板２００に覆われている。調光シート２０の表面は、裏面とは反対側の面である。調光シート２０の表面は、第２空間Ｓ２に露出している。
【００２７】
調光層２１は、調光領域Ｓｉにおいて、第１電極シート２２Ａと第２電極シート２２Ｂとに挟まれている。積層体２６は、第１電極シート２２Ａと第２電極シート２２Ｂとの間に調光層２１を備えて、調光領域Ｓｉに位置する。調光領域Ｓｉは、被接続間領域Ｓｅと、被接続間領域Ｓｅ以外の領域とを備える。被接続間領域Ｓｅの層構成と、被接続間領域Ｓｅ以外の領域の層構成とは、相互に一致している。
【００２８】
調光層２１は、液晶組成物を含む。調光層２１は、例えば、高分子ネットワーク型液晶（ＰＮＬＣ：Polymer Network Liquid Crystal）、高分子分散型液晶（ＰＤＬＣ：Polymer Dispersed Liquid Crystal）、カプセル型ネマティック液晶(ＮＣＡＰ：Nematic Curvilinear Aligned Phase)などから構成される。例えば、高分子ネットワーク型液晶は、３次元の網目状を有した高分子ネットワークを備えて、高分子ネットワークが有する空隙に液晶分子を保持する。調光層２１が含む液晶分子は、例えば、誘電率異方性が正である。液晶分子の長軸方向の誘電率は、液晶分子の短軸方向の誘電率よりも大きい。液晶分子は、例えば、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系の液晶分子である。
【００２９】
各透明電極層２３Ａ，２３Ｂは、導電性を有した透明な層である。各透明電極層２３Ａ，２３Ｂを構成する材料は、例えば、酸化インジウムスズ（ＩＴＯ）、フッ素ドープ酸化スズ（ＦＴＯ）、酸化スズ、酸化亜鉛、カーボンナノチューブ（ＣＮＴ）、ポリ（３，４-エチレンジオキシチオフェン）（ＰＥＤＯＴ）を含むポリマーである。
【００３０】
各支持層２４Ａ，２４Ｂは、無色の透明な基材、あるいは、有色の透明な基材である。各支持層２４Ａ，２４Ｂは、例えば、ガラス基板や高分子フィルムである。高分子フィルムを構成する材料は、例えば、ポリエチレン、ポリスチレン、ポリエチレンテレフタレート、ポリビニルアルコール、ポリカーボネート、ポリ塩化ビニル、ポリイミド、ポリサルホン、シクロオレフィンポリマー、トリアセチルセルロースである。
【００３１】
接着層５０は、無色の透明な層、あるいは、有色の透明な層である。接着層５０は、対象の接着に際して固化を要する接着剤から構成されてもよいし、対象の接着に際して固化を要しない粘着剤から構成されてもよい。例えば、接着層５０は、アクリル樹脂やエポキシ樹脂などの接着剤から構成される。
【００３２】
調光シート２０において、各透明電極層２３Ａ，２３Ｂに駆動電圧が印加されていない状態は、調光層２１の非駆動状態である。調光シート２０において、第１透明電極層２３Ａと第２透明電極層２３Ｂとの間に駆動電圧が印加されている状態は、調光層２１の駆動状態である。
【００３３】
例えば、ノーマル型の調光シート２０は、非駆動状態において、各液晶分子の長軸方向を不規則的に並べて、調光シート２０に入射した光を散乱する。ノーマル型の調光シート２０は、駆動状態において、各液晶分子の長軸方向を規則的に並べて、調光シート２０に入射した光を透過する。ノーマル型の調光シート２０における調光領域Ｓｉは、非駆動状態で不透明である一方で、駆動状態で透明である。
【００３４】
例えば、リバース型の調光シート２０は、非駆動状態において、調光シート２０に入射した光を透過するように、各液晶分子の長軸方向を並べる。リバース型の調光シート２０は、駆動状態において、調光シート２０に入射した光を遮断するように、各液晶分子の長軸方向を並べる。リバース型の調光シート２０における調光領域Ｓｉは、非駆動状態で透明である一方で、駆動状態で不透明である。
【００３５】
第１電極シート２２Ａは、調光領域Ｓｉから第１被接続領域ＳＡまで連続している。第１電極シート２２Ａは、第１被接続領域ＳＡにおいて、調光層２１、および、第２電極シート２２Ｂからはみ出して、第２空間Ｓ２に露出している。第１透明電極層２３Ａは、第１被接続領域ＳＡに、調光シート２０の他の層から第２空間Ｓ２に露出した表面２５ａを有している。表面２５ａは、第２空間Ｓ２に向いた面であって、調光シート２０の表面を構成する。第１被接続領域ＳＡは、調光シート２０のなかで、調光層２１、および、第２電極シート２２Ｂを取り除かれた領域である。
【００３６】
第１被接続領域ＳＡに隣接する調光領域Ｓｉの端部において、第１被接続領域ＳＡと調光領域Ｓｉとの境界は、調光層２１、第２透明電極層２３Ｂ、および、第２支持層２４Ｂの各端面から構成される。調光層２１、第２透明電極層２３Ｂ、および、第２支持層２４Ｂの各端面は、例えば、調光シート２０の厚さ方向に沿って連続している。
【００３７】
第１接続部３０Ａは、第２空間Ｓ２に位置して、第１透明電極層２３Ａの表面２５ａに接続されている。第１接続部３０Ａは、第２空間Ｓ２に露出した表面２５ａの一部、あるいは、全部を覆う。第１接続部３０Ａは、第１導電性接着層３１Ａと、第１導電テープ３２Ａと、第１はんだ部３３Ａと、第１リード線３４Ａとを備える。
【００３８】
第１導電性接着層３１Ａは、第１透明電極層２３Ａの表面２５ａに接着されている。第１導電テープ３２Ａは、第１導電性接着層３１Ａにおいて表面２５ａに接着された面とは反対側の面に接着されている。第１導電性接着層３１Ａ、および、第１導電テープ３２Ａは、表面２５ａのみに位置し、第２空間Ｓ２から見て、調光シート２０の端部よりも外側にはみ出ていない。
【００３９】
第１はんだ部３３Ａは、第１導電テープ３２Ａにおいて第１導電性接着層３１Ａに接着された面とは反対側の面に位置する。第１はんだ部３３Ａは、第１導電テープ３２Ａ、および、第１リード線３４Ａと接合している。第１導電テープ３２Ａと第１リード線３４Ａとは、第１はんだ部３３Ａによって電気的に接続されている。
【００４０】
第１導電性接着層３１Ａを形成する材料は、例えば、銀ペーストなどの導電ペーストである。例えば、第１導電性接着層３１Ａは、導電ペーストが硬化された層である。第１導電テープ３２Ａは、金属などの導電材料を含むテープであって、例えば、銅テープである。第１はんだ部３３Ａは、はんだとして用いられる公知の合金材料から構成される。第１リード線３４Ａは、例えば、被覆された銅線である。
【００４１】
第１リード線３４Ａは、駆動回路に接続されている。第１リード線３４Ａ、第１はんだ部３３Ａ、第１導電テープ３２Ａ、および、第１導電性接着層３１Ａは、第１透明電極層２３Ａと駆動回路とを電気的に接続する。駆動回路は、外部電源から受ける電圧を駆動電圧に変換して、第１接続部３０Ａを通じて第１透明電極層２３Ａに駆動電圧を印加する。
【００４２】
第２電極シート２２Ｂは、調光領域Ｓｉから第２被接続領域ＳＢまで連続している。第２電極シート２２Ｂは、第２被接続領域ＳＢで、調光層２１、および、第１電極シート２２Ａからはみ出して、第１空間Ｓ１、および、第２空間Ｓ２に露出している。第２透明電極層２３Ｂは、第２被接続領域ＳＢに、調光シート２０の他の層から第１空間Ｓ１に露出した表面２５ｂを有している。表面２５ｂは、第１空間Ｓ１に向いた面であって、調光シート２０の裏面を構成する。すなわち、第２被接続領域ＳＢは、調光シート２０のなかで、調光層２１、および、第１電極シート２２Ａを取り除かれた領域である。
【００４３】
第２被接続領域ＳＢに隣接する調光領域Ｓｉの端部において、第２被接続領域ＳＢと調光領域Ｓｉとの境界は、調光層２１、第１透明電極層２３Ａ、および、第１支持層２４Ａの各端面から構成される。調光層２１、第１透明電極層２３Ａ、および、第１支持層２４Ａの各端面は、例えば、調光シート２０の厚さ方向に沿って連続している。
【００４４】
第２電極シート２２Ｂは、第２導電性接着層３１Ｂ、第２導電テープ３２Ｂ、絶縁性接着層３５Ｂ、および、端面封止部３６Ｂを備える。第２導電性接着層３１Ｂ、および、第２導電テープ３２Ｂは、導電層の一例である。第２導電性接着層３１Ｂ、第２導電テープ３２Ｂ、絶縁性接着層３５Ｂ、および、端面封止部３６Ｂは、折返し部の一例である。
【００４５】
第２導電性接着層３１Ｂは、第２透明電極層２３Ｂの表面２５ｂに接着されている。絶縁性接着層３５Ｂは、絶縁性接着層３５Ｂと第２導電性接着層３１Ｂとが、第２支持層２４Ｂ、および、第２透明電極層２３Ｂを挟むように、第２支持層２４Ｂに対する第２空間Ｓ２側に位置する。
【００４６】
第２導電テープ３２Ｂは、第２導電性接着層３１Ｂにおいて表面２５ｂに接着された面とは反対側の面に接着されている。また、第２導電テープ３２Ｂは、絶縁性接着層３５Ｂにおいて第２支持層２４Ｂに接着された面とは反対側の面に接着されている。
【００４７】
第２導電テープ３２Ｂは、第２導電性接着層３１Ｂと絶縁性接着層３５Ｂとに接着されている。第２導電テープ３２Ｂは、第２導電性接着層３１Ｂから、第２電極シート２２Ｂの端面の外側を通って、絶縁性接着層３５Ｂまで延びている。第２導電テープ３２Ｂは、第２電極シート２２Ｂの端面で折り返されている。すなわち、第２導電テープ３２Ｂは、第２支持層２４Ｂに対する第１空間Ｓ１側から、第２支持層２４Ｂに対する第２空間Ｓ２側まで位置し、第２被接続領域ＳＢで第２空間Ｓ２に露出している。
【００４８】
第２導電テープ３２Ｂは、屈曲部３７ｗを備える。屈曲部３７ｗは、第２導電テープ３２Ｂの中で屈曲した部分である。屈曲部３７ｗは、第２空間Ｓ２から見て、第２支持層２４Ｂの端面を覆い、かつ、第２支持層２４Ｂの端面の外側に位置する。
【００４９】
第２導電テープ３２Ｂは、露出部３７ｔを備える。露出部３７ｔは、第２導電テープ３２Ｂの中で絶縁性接着層３５Ｂに接着された部分である。露出部３７ｔは、絶縁性接着層３５Ｂを介して、第２支持層２４Ｂに貼り付けられている。露出部３７ｔは、表面３７ｓを有している。露出部３７ｔの表面３７ｓは、第１透明電極層２３Ａの表面２５ａと同じく、第２空間Ｓ２に向いた面であって、第２空間Ｓ２に露出して調光シート２０の表面を構成する。
【００５０】
端面封止部３６Ｂは、第２支持層２４Ｂの端面と屈曲部３７ｗとの隙間を埋めている。端面封止部３６Ｂは、第２支持層２４Ｂの端面よりも屈曲部３７ｗでの曲率を小さくし、屈曲部３７ｗにおける曲率半径を拡大させて、屈曲部３７ｗに対して過度な曲げ応力が作用することを抑える。
【００５１】
第２接続部３０Ｂは、第２空間Ｓ２に位置して、露出部３７ｔの表面３７ｓに接続されている。第２接続部３０Ｂは、第２はんだ部３３Ｂ、および、第２リード線３４Ｂを備える。
【００５２】
第２はんだ部３３Ｂは、露出部３７ｔの表面３７ｓに位置する。第２はんだ部３３Ｂは、第２導電テープ３２Ｂ、および、第２リード線３４Ｂと接合されている。第２導電テープ３２Ｂと第２リード線３４Ｂとは、第２はんだ部３３Ｂによって電気的に接続されている。
【００５３】
第２導電性接着層３１Ｂを形成する材料は、第１導電性接着層３１Ａと同じく、例えば、銀ペーストなどの導電ペーストである。第２導電テープ３２Ｂは、第１導電テープ３２Ａと同じく、例えば、銅テープなどが用いられる。第２はんだ部３３Ｂは、はんだとして用いられる公知の合金材料から構成される。第２リード線３４Ｂは、第１リード線３４Ａと同じく、例えば、被覆された銅線である。絶縁性接着層３５Ｂは、接着剤あるいは粘着剤から構成される。絶縁性接着層３５Ｂは、例えば、アクリル樹脂から構成される。端面封止部３６Ｂは、例えば、エポキシ樹脂から構成される。なお、絶縁性接着層３５Ｂと端面封止部３６Ｂとは、連続した１つの部材であって、同一の材料から構成することも可能である。
【００５４】
第２リード線３４Ｂは、駆動回路に接続されている。第２リード線３４Ｂ、第２はんだ部３３Ｂ、第２導電テープ３２Ｂ、および、第２導電性接着層３１Ｂは、第２透明電極層２３Ｂと駆動回路とを電気的に接続する。駆動回路は、外部電源から受ける電圧を駆動電圧に変換して、第２接続部３０Ｂを通じて第２透明電極層２３Ｂに駆動電圧を印加する。
【００５５】
調光ユニット１０は、シール部５１を備える。シール部５１は、第２導電テープ３２Ｂの中で第２導電性接着層３１Ｂに接着されている部分と、透明板２００との間の隙間を埋める。シール部５１は、第２導電性接着層３１Ｂと調光層２１との間の隙間、および、第２導電性接着層３１Ｂと第１電極シート２２Ａとの間の隙間も埋める。シール部５１は、第２導電テープ３２Ｂと第１電極シート２２Ａとの間の隙間も埋める。シール部５１は、例えば、エポキシ樹脂から構成される。
【００５６】
なお、接着層５０は、透明板２００と第２被接続領域ＳＢとの間に介在することも可能である。接着層５０とシール部５１とは、連続した１つの部材として構成することも可能である。
【００５７】
［調光ユニットの製造方法］
図３〜図８を参照して、調光ユニット１０の製造方法を説明する。
図３が示すように、まず、第１電極シート２２Ａと第２電極シート２２Ｂとの間で調光層２１が形成される。次いで、第１電極シート２２Ａ、調光層２１、および、第２電極シート２２Ｂから構成される多層シート２７が、例えば、透明板２００の形状に合わせて、切断される。
【００５８】
図４が示すように、切断された多層シート２７に各被接続領域ＳＡ，ＳＢが形成される。すなわち、多層シート２７の一部において、第２電極シート２２Ｂの一部、および、調光層２１の一部が除去されて、第１被接続領域ＳＡが形成される。また、多層シート２７の一部において、第１電極シート２２Ａの一部、および、調光層２１の一部が除去されて、第２被接続領域ＳＢが形成される。この際、各電極シート２２Ａ，２２Ｂの一部は、例えば、切断によって除去される。調光層２１の一部は、例えば、拭き取りによって除去される。
【００５９】
なお、多層シート２７を形成した後に、第１電極シート２２Ａの切断、第２電極シート２２Ｂの切断、および、調光層２１の拭き取りを行う製法では、作業の簡便化が図られる観点から、第１被接続領域ＳＡが多層シート２７の角部に位置することが好ましい。第２被接続領域ＳＢもまた、多層シート２７の角部に位置することが好ましい。
【００６０】
図５が示すように、露出された第１透明電極層２３Ａの表面２５ａに、第１導電性接着層３１Ａが接着される。次いで、第１導電テープ３２Ａが第１導電性接着層３１Ａに接着される。第１導電性接着層３１Ａ、および、第１導電テープ３２Ａは、第１透明電極層２３Ａの表面２５ａのみに位置し、第１導電テープ３２Ａは、調光シート２０の端部よりも外側にはみ出さない。
【００６１】
また、露出された第２透明電極層２３Ｂの表面２５ｂに、第２導電性接着層３１Ｂが接着される。次いで、第２導電テープ３２Ｂが第２導電性接着層３１Ｂに接着される。第２導電性接着層３１Ｂは、第２透明電極層２３Ｂの表面２５ｂのみに位置し、第２導電テープ３２Ｂは、第２透明電極層２３Ｂの表面２５ｂから第２支持層２４Ｂの外側に延びている。
【００６２】
図６が示すように、第２導電テープ３２Ｂのなかで第２支持層２４Ｂの外側に延びている部分が、第２支持層２４Ｂの上に折り返される。第２導電テープ３２Ｂのなかで折り返された部分である露出部３７ｔと、調光シート２０の表面を構成する第２支持層２４Ｂとは、絶縁性接着層３５Ｂによって固定される。また、第２電極シート２２Ｂの端面と第２導電テープ３２Ｂの屈曲部３７ｗとの間の隙間は、端面封止部３６Ｂによって埋められる。
【００６３】
図７が示すように、各導電テープ３２Ａ，３２Ｂを接着された調光シート２０は、透明板２００に貼り付けられる。すなわち、第１支持層２４Ａが接着層５０を介して透明板２００に貼り付けられる。また、第２導電テープ３２Ｂと透明板２００との間はシール部５１で埋められる。
【００６４】
図８が示すように、第１はんだ部３３Ａによって、第１リード線３４Ａと第１導電テープ３２Ａとが、第１透明電極層２３Ａの表面２５ａ上で接続される。また、第２はんだ部３３Ｂによって、第２リード線３４Ｂと第２導電テープ３２Ｂとが、調光シート２０の表面上で接続される。これによって、調光ユニット１０が形成される。なお、透明板２００上における調光シート２０の外周は、さらに封止部によって封止されることも可能である。
【００６５】
なお、図９が示す従来例のように、はんだとリード線とを含む接続部の厚さを薄くすることには限界がある。そして、第２電極シート２２Ｂと透明板２００との間に、第２接続部３０Ｂが位置する構成では、第２接続部３０Ｂが透明板２００に当接して第２電極シート２２Ｂを押し上げてしまう。結果として、第２電極シート２２Ｂの可撓性が低い場合には、第２電極シート２２Ｂが局所的に折れ曲がり、調光シート２０に歪みが生じてしまう。
【００６６】
この点、上述した調光ユニット１０であれば、各はんだ部３３Ａ，３３Ｂは、いずれも調光シート２０と透明板２００との間に位置しない。そのため、第２電極シート２２Ｂに局所的な折れ曲がりが発生すること、ひいては、調光シート１１０に歪みが生じることを抑制可能ともなる。
【００６７】
以上、第１実施形態によれば、以下に列挙する効果が得られる。
（１−１）第２はんだ部３３Ｂは、透明板２００に向けられた第２透明電極層２３Ｂと電気的に接続しつつも、第１はんだ部３３Ａと同じく、透明板２００とは対向しない。そのため、第１接続部３０Ａと第２接続部３０Ｂとのいずれにおいても、リード線を第２空間Ｓ２に引き回すことが可能であるから、調光ユニット１０における配線ルートの簡素化が可能となる。
【００６８】
（１−２）また、第１接続部３０Ａと第２接続部３０Ｂとのいずれにおいても、各リード線との接合部が透明板２００に接触することを抑制可能である。そして、透明板２００と各接続部３０Ａ，３０Ｂとの接触が避けられるため、接触に起因した接合強度の低下を抑制可能となる。
【００６９】
（１−３）第１はんだ部３３Ａを形成するための作業と、第２はんだ部３３Ｂを形成するための作業とを、第２空間Ｓ２で実施可能となる。そのため、第１接続部３０Ａの形成に要する手間、および、第２接続部３０Ｂの形成に要する手間が軽減可能となる。
【００７０】
（１−４）第１はんだ部３３Ａを形成するための作業と、第２はんだ部３３Ｂを形成するための作業とが、透明板２００に貼り付けられた調光シート２０にて実施可能となる。すなわち、調光ユニット１０を透明板２００に貼り付ける作業を、各接続部３０Ａ，３０Ｂの形成に先駆けて実施可能となる。そのため、調光ユニット１０の配置の変更などに起因して第１接続部３０Ａでの接合強度が弱まること、また、第２接続部３０Ｂでの接合強度が弱まることが抑制可能となる。
【００７１】
（１−５）多層シート２７から切出された調光シート２０に対する加工によって、各被接続領域ＳＡ，ＳＢを提供可能となる。そのため、大判の多層シート２７を先行して形成するという生産性に優れた製法で、調光ユニット１０を製造可能となる。
【００７２】
（１−６）調光層２１の一部、第１電極シート２２Ａの一部、および、第２電極シート２２Ｂの一部の除去によって、各被接続領域ＳＡ，ＳＢが形成される。そのため、調光層２１、および、各電極シート２２Ａ，２２Ｂの成形が容易である。また、各被接続領域ＳＡ，ＳＢの大きさの調整や、各被接続領域ＳＡ，ＳＢの位置の調整も容易である。
【００７３】
（１−７）第２透明電極層２３Ｂとは別体である第２導電テープ３２Ｂが導電層として機能するため、折返しに特化した形状や材料を導電層に採用することが可能ともなる。
【００７４】
（１−８）端面封止部３６Ｂが第２導電テープ３２Ｂ（屈曲部３７ｗ）での曲率を小さくするため、第２導電テープ３２Ｂにおける過度な屈曲が抑制可能であるから、折返し部における電気的特性の安定性が向上可能でもある。
【００７５】
［第１実施形態の変更例］
第１実施形態は、以下のように変更して実施できる。なお、以下の各変更例は、適宜相互に組み合わせて実施することもできる。
［折返し部］
・第２導電テープ３２Ｂの形状は、以下のように変更することが可能である。
図１０が示すように、第２導電テープ３２Ｂは、第１被接続領域ＳＡと第２被接続領域ＳＢとが並ぶ左右方向で、第２支持層２４Ｂの端部よりも内側に位置し、左右方向と直交する方向で、第２支持層２４Ｂの外側まで延び、第２支持層２４Ｂの下端辺で折り返し可能である。すなわち、第２導電テープ３２Ｂが折り返される方向は、第２被接続領域ＳＢの短軸方向であってもよいし、また、第２導電テープ３２Ｂの短軸方向であってもよい。
【００７６】
・露出部３７ｔは、第２支持層２４Ｂの上面において、第２被接続領域ＳＢに加えて、調光領域Ｓｉにも配置可能である。なお、露出部３７ｔが調光領域Ｓｉに位置しない構成であれば、調光領域Ｓｉにおける光の透過や散乱は、露出部３７ｔで妨げられ難い。
【００７７】
・第２電極シート２２Ｂは、端面封止部３６Ｂを省略可能である。なお、第２電極シート２２Ｂが端面封止部３６Ｂを備える構成であれば、第２導電テープ３２Ｂでの過度な折れ曲がりを抑制できるため、屈曲部３７ｗでの機械的な耐性が向上可能である。
【００７８】
［被接続領域］
・第１被接続領域ＳＡと第２被接続領域ＳＢとは、調光シート２０において別々の辺に沿って配置可能である。すなわち、第１接続部３０Ａと第２接続部３０Ｂとは、調光シート２０において別々の辺に配置可能である。例えば、第１被接続領域ＳＡは、調光シート２０の下辺に沿って配置される一方で、第２被接続領域ＳＢは、調光シート２０の右辺に沿って配置される。そして、第１接続部３０Ａは、調光シート２０の下辺に沿って配置される一方で、第２接続部４０Ｂは、調光シート２０の右辺に沿って配置される。
【００７９】
第１被接続領域ＳＡと第２被接続領域ＳＢとが別々の辺に沿って配置される構成では、第１接続部３０Ａと第２接続部３０Ｂとの配置の自由度が高まる。そのため、第１接続部３０Ａと第２接続部３０Ｂとが、調光シート２０の大きさに応じて配置可能となり、また、調光シート２０の設置環境などに応じて配置可能となる。
【００８０】
・第１被接続領域ＳＡ、および、第２被接続領域ＳＢの少なくとも一方は、調光シート２０の角部以外に配置可能である。例えば、第１被接続領域ＳＡは、調光シート２０の下辺中央に配置され、第２被接続領域ＳＢは、調光シート２０の右辺中央に配置される。
【００８１】
・第１被接続領域ＳＡ、および、第２被接続領域ＳＢの少なくとも一方は、複数の接続部に接合されることも可能である。この際、単一の被接続領域に接合された複数の接続部は、相互に共通した電圧を単一の被接続領域に印加する。
【００８２】
［領域間の構成］
・調光シート２０は、第１導電性接着層３１Ａと、調光領域Ｓｉの調光層２１との間の隙間を埋める封止部をさらに備えることも可能である。調光シート２０は、第１導電テープ３２Ａと、調光領域Ｓｉの調光層２１との間の隙間を埋める封止部をさらに備えることも可能である。各封止部は、第１導電性接着層３１Ａと第１透明電極層２３Ａとの接着、および、第１導電性接着層３１Ａと第１導電テープ３２Ａとの接着を補強する。また、各封止部は、調光領域Ｓｉの端部で調光シート２０が潰れて第１透明電極層２３Ａと第２透明電極層２３Ｂとが短絡することを抑える。
【００８３】
・調光シート２０は、調光領域Ｓｉと第１被接続領域ＳＡとの境界に、調光領域Ｓｉから第１被接続領域ＳＡに向かって、調光層２１が第２電極シート２２Ｂの端部よりもはみ出す領域を備えることも可能である。
【００８４】
・調光シート２０は、調光領域Ｓｉと第２被接続領域ＳＢとの境界に、調光領域Ｓｉから第２被接続領域ＳＢに向かって、調光層２１が第１電極シート２２Ａの端部よりもはみ出す領域を備えることも可能である。
【００８５】
［製造方法］
・第２導電テープ３２Ｂの折り返しは、調光シート２０が透明板２００に貼り付けられた後に行われてもよい。また、第１はんだ部３３Ａによる第１リード線３４Ａと第１導電テープ３２Ａとの接続、および、第２はんだ部３３Ｂによる第２リード線３４Ｂと第２導電テープ３２Ｂとの接続の各々は、調光シート２０が透明板２００に貼り付けられる前に行われてもよい。
【００８６】
（第２実施形態）
図１１〜図１８を参照して、調光ユニットの第２実施形態を説明する。以下では、第２実施形態と第１実施形態との相違点を中心に説明し、第１実施形態と同様の構成については同じ符号を付してその説明を省略する。
【００８７】
［調光ユニットの構成］
図１１が示すように、調光ユニット１０は、調光シート２０と、第１接続部４０Ａと、第２接続部４０Ｂとを備える。調光ユニット１０は、透明板２００に取り付けられる。
【００８８】
調光シート２０は、第２空間Ｓ２から見て、矩形平面状を有する。調光シート２０には、第２空間Ｓ２から見て、調光領域Ｓｉ、第１被接続領域ＳＣ、第２被接続領域ＳＤ、および、中間領域Ｓｒが区分されている。
【００８９】
第１接続部４０Ａは、第１被接続領域ＳＣに接続されている。第２接続部４０Ｂは、第２被接続領域ＳＤに接続されている。第１被接続領域ＳＣは、調光シート２０の下辺の全体にわたる矩形領域である。第２被接続領域ＳＤは、第１被接続領域ＳＣよりも調光シート２０の上方に位置する矩形領域である。中間領域Ｓｒは、第１被接続領域ＳＣと第２被接続領域ＳＤとの間に位置する。調光シート２０の下辺に近い順に、第１被接続領域ＳＣ、中間領域Ｓｒ、第２被接続領域ＳＤ、および、調光領域Ｓｉが並ぶ。
【００９０】
なお、第１被接続領域ＳＣは、例えば、右辺の全体にわたる矩形領域であってもよく、調光シート２０の右辺に近い順に、第１被接続領域ＳＣ、中間領域Ｓｒ、第２被接続領域ＳＤ、および、調光領域Ｓｉが並んでもよい。すなわち、第１被接続領域ＳＣは、調光シート２０のいずれの辺に沿った矩形領域であってもよく、当該辺に近い順に、第１被接続領域ＳＣ、中間領域Ｓｒ、第２被接続領域ＳＤ、および、調光領域Ｓｉが並ぶ。
【００９１】
図１２が示すように、第１電極シート２２Ａは、調光領域Ｓｉから、第２被接続領域ＳＤ、および、中間領域Ｓｒを通り、第１被接続領域ＳＣまで延びる。第１支持層２４Ａにおいて第１透明電極層２３Ａに接する面とは反対側の面は、接着層５０を介して透明板２００に貼り付けられている。
【００９２】
調光シート２０の裏面は、透明板２００に貼り付けられる面として機能する。調光シート２０の裏面は、第１空間Ｓ１に露出する面であって、第１空間Ｓ１に位置する透明板２００に覆われている。調光シート２０の表面は、裏面とは反対側の面である。調光シート２０の表面は、第２空間Ｓ２に露出している。
【００９３】
調光層２１は、調光領域Ｓｉから、第２被接続領域ＳＤを通り、中間領域Ｓｒまで延びる。第２電極シート２２Ｂは、調光領域Ｓｉから第２被接続領域ＳＤまで延びる。第２電極シート２２Ｂの先端部分（折返し部２８ｔ）は、第２被接続領域ＳＤと中間領域Ｓｒとの境界部分で、第２空間Ｓ２に向けて折り返されて、厚み方向で重ねられている。
【００９４】
調光層２１は、調光領域Ｓｉにおいて、第１電極シート２２Ａと第２電極シート２２Ｂとに挟まれている。積層体２６は、第１電極シート２２Ａと第２電極シート２２Ｂとの間に調光層２１を備える。第２支持層２４Ｂは、調光領域Ｓｉにおいて、調光シート２０の中で最も第２空間Ｓ２に近い最外層である。第２支持層２４Ｂにおいて第２透明電極層２３Ｂに接する面とは反対側の面は、調光領域Ｓｉにおいて、調光シート２０の表面を構成する。
【００９５】
折返し部２８ｔは、第２支持層２４Ｂに対する第１空間Ｓ１側から第２支持層２４Ｂに対する第２空間Ｓ２側へ折り返されている。折返し部２８ｔは、第２被接続領域ＳＤにおいて、二重に重なる第２支持層２４Ｂと、二重に重なる第２透明電極層２３Ｂとを備える。折返し部２８ｔにおける第２支持層２４Ｂは、延設支持層の一例である。折返し部２８ｔにおける第２透明電極層２３Ｂは、延設電極層の一例である。
【００９６】
折返し部２８ｔの第２支持層２４Ｂは、絶縁性接着層２９を介して貼り合わされている。絶縁性接着層２９は、折返し部２８ｔの第２支持層２４Ｂが折り返し前の形状に戻ることを抑制可能とする。絶縁性接着層２９は、調光シート２０を構成する。折返し部２８ｔにおける第２透明電極層２３Ｂは、第２支持層２４Ｂに対する第１空間Ｓ１側で、調光領域Ｓｉの第２透明電極層２３Ｂと一体であり電気的に接続されている。
【００９７】
折返し部２８ｔは、第２透明電極層２３Ｂの表面２５ｂを第２空間Ｓ２に露出している。第２透明電極層２３Ｂの表面２５ｂは、第２被接続領域ＳＤにおいて、第２空間Ｓ２に向いた面であって、調光シート２０の表面を構成する。すなわち、第２被接続領域ＳＤは、調光シート２０のなかで、調光層２１、および、第１電極シート２２Ａを取り除かれた部分を含み、折返し部２８ｔの第２透明電極層２３Ｂを第２空間Ｓ２に露出させる。
【００９８】
第２接続部４０Ｂは、第２空間Ｓ２に位置して、第２透明電極層２３Ｂの表面２５ｂに接続されている。第２接続部４０Ｂは、第２空間Ｓ２に露出した表面２５ｂの一部を覆う。第２接続部４０Ｂは、第２導電性接着層４１Ｂと、第２導電テープ４２Ｂと、第２はんだ部４３Ｂと、第２リード線４４Ｂとを備える。
【００９９】
第２導電性接着層４１Ｂは、第２透明電極層２３Ｂの表面２５ｂに接着されている。第２導電テープ４２Ｂは、第２導電性接着層４１Ｂにおいて表面２５ｂに接着された面とは反対側の面に接着されている。
【０１００】
第２はんだ部４３Ｂは、第２導電テープ４２Ｂにおいて第２導電性接着層４１Ｂに接着された面とは反対側の面に位置する。第２はんだ部４３Ｂは、第２導電テープ４２Ｂ、および、第２リード線４４Ｂと接合されている。第２導電テープ４２Ｂと第２リード線４４Ｂとは、第２はんだ部４３Ｂによって電気的に接続されている。
【０１０１】
調光層２１は、第２被接続領域ＳＤから中間領域Ｓｒまではみ出している。調光層２１は、中間領域Ｓｒにおいて、封止部４５で覆われている。封止部４５は、第２被接続領域ＳＤの端部に位置する第２電極シート２２Ｂと接する。封止部４５は、中間領域Ｓｒに位置する調光層２１の全体を覆い、調光層２１に対する第１被接続領域ＳＣ側で第１電極シート２２Ａと接する。封止部４５は、調光シート２０を構成する。
【０１０２】
中間領域Ｓｒに位置する調光層２１は、第２被接続領域ＳＤの端部において、第１透明電極層２３Ａと第２透明電極層２３Ｂとが短絡することを抑える。封止部４５は、中間領域Ｓｒに位置する調光層２１を覆って、調光層２１の劣化を抑制する。また、封止部４５は、第２被接続領域ＳＤの端部に位置する第２電極シート２２Ｂを固定して、折返し部２８ｔの姿勢を維持させる。
【０１０３】
第１透明電極層２３Ａは、第１被接続領域ＳＣにおいて、調光層２１、および、第２電極シート２２Ｂからはみ出して、第２空間Ｓ２に露出している。第１透明電極層２３Ａは、第１被接続領域ＳＣに、調光シート２０の他の層から第２空間Ｓ２に露出した表面２５ａを有している。表面２５ａは、第２空間Ｓ２に向いた面であって、調光シート２０の表面を構成する。第１透明電極層２３Ａの表面２５ａは、折返し部２８ｔの表面２５ｂと同じ方向に向いている。
【０１０４】
第１接続部４０Ａは、第２空間Ｓ２に位置して、第１透明電極層２３Ａの表面２５ａに接続されている。第１接続部４０Ａは、第２空間Ｓ２に露出した表面２５ａの一部を覆う。第１接続部４０Ａは、第１導電性接着層４１Ａと、第１導電テープ４２Ａと、第１はんだ部４３Ａと、第１リード線４４Ａとを備える。
【０１０５】
第１導電性接着層４１Ａは、第１透明電極層２３Ａの表面２５ａに接着されている。第１導電性接着層４１Ａは、第１透明電極層２３Ａに接着された面とは反対側の面に、第１導電テープ４２Ａが接着されている。
【０１０６】
第１はんだ部４３Ａは、第１導電テープ４２Ａにおける第１導電性接着層４１Ａに接する面とは反対側の面に位置し、第１導電テープ４２Ａ、および、第１リード線４４Ａの各々と接着されている。すなわち、第１はんだ部４３Ａによって第１導電テープ４２Ａと第１リード線４４Ａとが接続されている。
【０１０７】
封止部４５は、調光層２１と第１接続部４０Ａとの間の隙間を埋めていることが好ましい。この構成によれば、第２透明電極層２３Ｂが、第１透明電極層２３Ａ、および、第１接続部４０Ａと接触して短絡が生じることが抑えられる。
【０１０８】
第１導電性接着層４１Ａ、および、第２導電性接着層４１Ｂを形成する材料は、例えば、銀ペーストなどの導電ペーストである。第１導電テープ４２Ａ、および、第２導電テープ４２Ｂは、例えば、銅テープなどの導電性材料を含むテープである。第１はんだ部４３Ａ、および、第２はんだ部４３Ｂは、はんだとして用いられる公知の合金材料から構成される。第１リード線４４Ａ、および、第２リード線４４Ｂは、例えば、被覆された銅線である。絶縁性接着層２９は、接着剤、あるいは、粘着剤から構成される。絶縁性接着層２９は、例えば、アクリル樹脂から構成される。また、封止部４５は、例えば、エポキシ樹脂から構成される。
【０１０９】
［調光ユニットの製造方法］
図１３〜図１６を参照して、調光ユニット１０の製造方法を説明する。
図１３が示すように、まず、第１電極シート２２Ａと第２電極シート２２Ｂとの間で調光層２１が形成される。次いで、第１電極シート２２Ａ、調光層２１、および、第２電極シート２２Ｂから構成される多層シート２７が、例えば、透明板２００の形状に合わせて、切断される。
【０１１０】
多層シート２７は、接着層５０を介して透明板２００に貼り付けられる。次いで、第２支持層２４Ｂにおいて第２透明電極層２３Ｂに接する面とは反対側の面の端部に、絶縁性接着層２９が接着される。
【０１１１】
図１４が示すように、絶縁性接着層２９が接着されている第２電極シート２２Ｂの端部が折り返されて、絶縁性接着層２９によって、第２支持層２４Ｂ同士が貼り合わされる。これにより、折返し部２８ｔが形成されて、第２透明電極層２３Ｂの表面２５ｂが露出される。
【０１１２】
図１５が示すように、調光層２１のなかで、第２電極シート２２Ｂから露出している部分が、一部を残して除去される。詳細には、多層シート２７の表面と対向する方向から見て、調光層２１のなかで折返し部２８ｔに隣接する部分を除いて、第２電極シート２２Ｂから露出している部分が除去される。言い換えれば、多層シート２７の表面と対向する方向から見て、折返し部２８ｔからはみ出すように、調光層２１の一部が残される。例えば、調光層２１のなかで残される部分がマスキングされ、マスキングされていない部分が、アルコールなどを用いて拭き取られることによって取り除かれる。
【０１１３】
これにより、積層体２６のみが位置する調光領域Ｓｉ、積層体２６に折返し部２８ｔが貼り付けられている第２被接続領域ＳＤ、調光層２１が露出している中間領域Ｓｒ、第１透明電極層２３Ａが露出している第１被接続領域ＳＣが形成される。これによって、上記各領域を有する調光シート２０が形成される。
【０１１４】
図１６が示すように、露出された第１透明電極層２３Ａの表面２５ａに、第１導電性接着層４１Ａが接着され、第１導電性接着層４１Ａに第１導電テープ４２Ａが接着される。また、露出された第２透明電極層２３Ｂの表面２５ｂに、第２導電性接着層４１Ｂが接着され、第２導電性接着層３１Ｂに第２導電テープ３２Ｂが接着される。そして、はんだ付けが行われて、第１はんだ部４３Ａによって第１リード線４４Ａと第１導電テープ４２Ａとが、第１透明電極層２３Ａの表面２５ａ上の領域で接続される。また、第２はんだ部４３Ｂによって第２リード線４４Ｂと第２導電テープ４２Ｂとが、第２透明電極層２３Ｂの表面２５ｂ上の領域で接続される。さらに、中間領域Ｓｒにて露出している調光層２１を覆うように封止部４５が形成される。これにより、調光ユニット１０が形成される。なお、透明板２００上における調光シート２０の外周には、必要に応じて封止部が形成されてもよい。
【０１１５】
以上、第２実施形態によれば、上記（１−１）〜（１−８）に準じた効果に加えて、以下に列挙する効果が得られる。
（２−１）第２電極シート２２Ｂが折り返されて、折返し部２８ｔの表面２５ｂ、および、第１透明電極層２３Ａの表面２５ａが、第２空間Ｓ２に向く。そのため、第１接続部３０Ａと第２接続部３０Ｂとのいずれにおいても、リード線を第２空間Ｓ２に引き回すことが可能であるから、調光ユニット１０における配線ルートの簡素化が可能となる。
【０１１６】
（２−２）透明板２００と各接続部３０Ａ，３０Ｂとの接触が避けられるため、接触に起因して配線の接合強度が弱まることを抑えることができる。
（２−３）第２電極シート２２Ｂを折り返す作業、および、調光層２１の一部を除去する作業は、第２空間Ｓ２から実施可能である。そのため、各接続部４０Ａ，４０Ｂの接続に要する作業が、一括して、第２空間Ｓ２から実施可能である。調光ユニット１０の形成が容易であり、調光ユニット１０の製造の効率も高められる。
【０１１７】
（２−４）各電極シート２２Ａ，２２Ｂを切断することなく各被接続領域ＳＣ，ＳＤを形成できるため、各電極シート２２Ａ，２２Ｂの部分的な除去に要する負荷が削減可能である。
【０１１８】
［第２実施形態の変更例］
第２実施形態は、以下のように変更して実施することが可能である。なお、以下の各変更例は、適宜組み合わせて実施することもできる。
［被接続領域］
・第１被接続領域ＳＣと第２被接続領域ＳＤとは、調光シート２０において別々の辺に沿って配置可能である。例えば、図１１において、第１被接続領域ＳＣ（第１接続部４０Ａ）は、調光シート２０における右辺に配置され、第２被接続領域ＳＤ（第２接続部４０Ｂ）は、調光シート２０における左辺に配置可能である。図１７が示すように、第１接続部４０Ａが、第１被接続領域ＳＣのなかの左右方向の中央よりも左側に位置する一方で、第２接続部４０Ｂは、第２被接続領域ＳＤのなかの左右方向の中央よりも右側に位置することも可能である。さらに、図１８が示すように、第１接続部４０Ａ、および、第２接続部４０Ｂは、左右方向の中央よりも右側に偏って位置することも可能である。
【０１１９】
・各被接続領域ＳＣ，ＳＤは、調光シート２０の一辺の中の一部のみに配置可能である。例えば、各被接続領域ＳＣ，ＳＤは、調光シート２０の下辺中央から右側のみに配置可能である。
【０１２０】
・調光シート２０は、中間領域Ｓｒを省略し、第１被接続領域ＳＣと第２被接続領域ＳＤとを相互に隣り合わせることも可能である。すなわち、調光層２１は、第２被接続領域ＳＤから第１被接続領域ＳＣに向けてはみ出していなくてもよい。この場合、調光シート２０は、第２被接続領域ＳＤの端部に位置する第２電極シート２２Ｂ、および、調光層２１の端面を覆う封止部を備えることも可能である。
【０１２１】
・第１被接続領域ＳＣ、および、第２被接続領域ＳＤの少なくとも一方は、複数の接続部に接合されることも可能である。この際、単一の被接続領域に接合された複数の接続部は、相互に共通した電圧を単一の被接続領域に印加する。
【０１２２】
［製造方法］
・各被接続領域ＳＣ，ＳＤの形成、すなわち、第２電極シート２２Ｂの折り返し、および、調光層２１の除去は、多層シート２７が透明板２００に貼り付けられる前に行われてもよい。また、第１はんだ部４３Ａによる第１リード線４４Ａと第１導電テープ４２Ａとの接続、および、第２はんだ部４３Ｂによる第２リード線４４Ｂと第２導電テープ３２Ｂとの接続の各々も、調光シート２０が透明板２００に貼り付けられる前に行われてもよい。
【０１２３】
［各実施形態の変更例］
第１実施形態、第２実施形態、および、各実施形態の変更例は、以下のように変更して実施することが可能である。
・調光シート２０は、調光層２１、および、各電極シート２２Ａ，２２Ｂに加えて、他の機能層を備えることも可能である。
【０１２４】
他の機能層は、例えば、バリア層などのように、調光層２１を保護する機能、各透明電極層２３Ａ，２３Ｂを保護する機能、調光シート２０の耐熱性を高める機能、調光シート２０の耐候性を高める機能などを備える。また、他の機能層は、例えば、配向膜などのように、調光シート２０における光の透過性の制御に寄与する機能を備える。
【０１２５】
なお、調光シート２０が、調光層２１、および、各電極シート２２Ａ，２２Ｂ以外の層を備える場合、第１被接続領域ＳＡ，ＳＣでは、第１透明電極層２３Ａの表面が他の層から露出されて、第１接続部３０Ａ，４０Ａが接続されていればよい。また、第１実施形態における第２被接続領域ＳＢでは、第２透明電極層２３Ｂの表面が他の層から露出されて、第２接続部３０Ｂの導電性接着層３１Ｂが接着されていればよい。
【０１２６】
・調光層２１は、所定の色を有する色素であって、駆動電圧による液晶分子の配向制御を妨げない色素を含有可能である。
・透明板２００は、第１空間Ｓ１、および、第２空間Ｓ２の少なくとも一方に配置可能である。そして、調光シート２０の表面、および、裏面の少なくとも一方は、透明板２００に貼り付け可能である。これらの構成においても、上記（１−１），（１−５）〜（１−８），（２−１），（２−３），（２−４）に準じた効果は得られる。
【０１２７】
・第１透明電極層２３Ａと第１接続部３０Ａとの接続は、調光層２１と第２電極シート２２Ｂとの除去に限らず、例えば、調光層２１と第２電極シート２２Ｂとを貫通する孔を通じた接続に変更可能である。また、例えば、第１透明電極層２３Ａと第１接続部３０Ａとの接続は、第１透明電極層２３Ａと調光層２１との間に入れられた導電テープが第２電極シート上まで引き回れた形態に変更可能である。
【０１２８】
・第２透明電極層２３Ｂと第２接続部３０Ｂとの接続は、折返し部の形成に限らず、例えば、第２支持層２４Ｂを貫通する孔を通じた接続に変更可能である。また、例えば、第２透明電極層２３Ｂと第２接続部３０Ｂとの接続は、第２透明電極層２３Ｂと調光層２１との間に入れられた導電テープが第２電極シート上まで引き回れた形態に変更可能である。
【０１２９】
要は、第１接続部３０Ａと第２接続部３０Ｂとが第２空間Ｓ２に位置し、かつ、第１接続部３０Ａと第１電極シート２２Ａとが接続され、第２接続部３０Ｂと第２電極シート２２Ｂとが接続される構成であればよい。
【符号の説明】
【０１３０】
Ｓ１…第１空間、Ｓ２…第２空間、ＳＡ，ＳＣ…第１被接続領域、ＳＢ，ＳＤ…第２被接続領域、Ｓｉ…調光領域、１０…調光ユニット、２０，１１０…調光シート、２１…調光層、２２Ａ…第１電極シート、２２Ｂ…第２電極シート、２３Ａ…第１透明電極層、２３Ｂ…第２透明電極層、２４Ｂ…第２支持層、２８ｔ…折返し部、２９，３５Ｂ…絶縁性接着層、３０Ａ，４０Ａ…第１接続部、３０Ｂ，４０Ｂ…第２接続部、３２Ａ、３２Ｂ…導電テープ。
【図１】
2019200303.tif 000003
【図２】
2019200303.tif 000004
【図３】
2019200303.tif 000005
【図４】
2019200303.tif 000006
【図５】
2019200303.tif 000007
【図６】
2019200303.tif 000008
【図７】
2019200303.tif 000009
【図８】
2019200303.tif 000010
【図９】
2019200303.tif 000011
【図１０】
2019200303.tif 000012
【図１１】
2019200303.tif 000013
【図１２】
2019200303.tif 000014
【図１３】
2019200303.tif 000015
【図１４】
2019200303.tif 000016
【図１５】
2019200303.tif 000017
【図１６】
2019200303.tif 000018
【図１７】
2019200303.tif 000019
【図１８】
2019200303.tif 000020
【図１９】
2019200303.tif 000021
【図２０】
2019200303.tif 000022
【図２１】
2019200303.tif 000023